(57)【要約】【課題】携帯端末は画面が小さく、表示文字が見づらいため、電子番組表を使った選局が困難である。【解決手段】送信側は、チャンネル番号、放送局名、番組名などの番組情報を音声データとして放送信号へ多重して伝送し、受信側では、その音声データを番組情報メモリへ記憶する。ユーザーが受信機の選局ガイドボタンを押すと、あらかじめ操作情報メモリへ記憶されている操作ガイド音声データが出力され、ユーザーはその音声ガイドに従って選局のアップダウンボタンを押すと、番組情報メモリ内の音声データが順に出力され、決定ボタンを押すことで、希望の番組を選局でき、ユーザーは、端末の画面を見なくても、音声ガイドに従った端末のボタン操作だけで選局が可能となる。【選択図】図２
2005311759.tif 000002
【特許請求の範囲】
【請求項１】
放送番組の映像信号と音声信号と前記放送番組のチャンネル番号や放送局名やタイトルといった番組選局時に利用する制御信号と前記放送番組のチャンネル番号や放送局名やタイトルの音声ガイド信号とを多重する多重化装置と前記多重化装置で多重した信号を送信する送信装置と、前記送信装置が送信した信号を受信する受信装置と、前記受信装置で受信した受信信号から前記多重化装置で多重した前記映像信号と前記音声信号と前記制御信号と前記音声ガイド信号とを分離する分離装置と、前記分離装置で分離した前記映像信号と前記音声信号と前記音声ガイド信号とを復号する復号装置と、前記復号装置で復号した映像の復号信号を出力する映像出力装置と、前記復号装置で復号した音声の復号信号を出力する音声出力装置と、ユーザーによる装置の操作を検出する操作装置と、番組選局時に利用する前記制御信号と前記音声ガイド信号を記憶する番組情報記憶装置と、ユーザーに装置の操作方法を音声で説明する操作方法音声ガイド信号を記憶させておく操作情報記憶装置と、前記受信装置の制御と前記分離装置の制御と前記分離装置で分離した前記制御信号と前記音声ガイド信号との前記番組情報記憶装置への書き込みと読み出しと前記復号装置の制御と前記操作装置から入力されるユーザーの操作信号の解釈と前記操作情報記憶装置からの前記操作方法音声ガイド信号の読み出しとを行う制御装置と、を具備することを特徴とする携帯端末装置。
【請求項２】
前記操作装置は音声ガイドボタンとチェンネルアップダウンボタンと決定ボタンを有し、ユーザーが前記音声ガイドボタンを押下すると前記制御装置は前記操作情報記憶装置から前記操作方法音声ガイド信号を読み出し前記復号装置へ出力し、前記復号装置で復号した前記操作方法音声ガイド信号は前記音声出力装置から出力され、ユーザーが前記チャンネルアップダウン用ボタンを押下すると前記制御装置は前記番組情報記憶装置から前記放送番組のチャンネル番号や放送局名やタイトルの音声ガイド信号を読み出し前記復号装置へ出力し、前記復号装置で復号した前記放送番組のチャンネル番号や放送局名やタイトルの音声ガイド信号は前記音声出力装置から出力され、続けてユーザーが前記チャンネルアップダウン用ボタンを押下すると前記制御装置は前記番組情報記憶装置から次のチャンネルの前記放送番組のチャンネル番号や放送局名やタイトルの音声ガイド信号を読み出し、前記復号装置へ出力し、前記復号装置で復号した前記放送番組のチャンネル番号や放送局名やタイトルの音声ガイド信号が前記音声出力装置から出力され、ユーザーは前記放送番組のチャンネル番号や放送局名やタイトルの音声ガイドを聞いて選局するチャンネルを前記決定ボタンで決定し、当該決定されたチャンネルを番組選局時に利用する前記制御信号に基づき前記制御装置が受信装置と分離装置と復号装置を制御して、前記送信装置が送信した信号を受信することを特徴とする請求項１記載の携帯端末装置。
【発明の詳細な説明】
【技術分野】
【０００１】
本発明は、放送を受信し、ディスプレイ表示と音声出力の機能を持つ携帯端末装置において、ディスプレイの表示を見なくても、端末から出力される音声ガイドに従って、端末操作することで、見たい番組を選局できる装置に関するものである。
【背景技術】
【０００２】
現在、アナログテレビ放送もデジタルテレビ放送においても、選局操作を行った場合、選局したチャンネルが何チャンネルか、どこの放送局か、何の番組か、ディスプレイ画面を見ないとわからない。このため従来技術として選局した番組の概要説明を音声で出力する装置がある（例えば、特許文献１を参照）
【特許文献１】特開２０００−１２５２２１号公報
【発明の開示】
【発明が解決しようとする課題】
【０００３】
携帯端末でディスプレイが小さいものは、表示される文字も小さいためデジタルテレビ放送で一般に使われる電子番組表を使った選局は困難になる。車や電車の中のように揺れがあるところでは、さらに表示された小さな文字を読むことが困難になる。
【０００４】
解決しようとする問題点は、チャンネルアップダウンボタンで、放送番組を選局する際、ディスプレイを見ていないと、結果的にどのチャンネルを選局しているかわからない点である。
【０００５】
本発明は、このような問題に鑑みてなされたもので、その目的は、ディスプレイ表示を見なくてもスピーカから聞こえる音声ガイドに従った端末のボタンを操作することにより見たい番組を選局できる携帯端末装置を提供することにある。
【課題を解決するための手段】
【０００６】
前述の目的を達成するために、本発明の携帯端末装置は、放送番組の映像信号と音声信号と前記放送番組のチャンネル番号や放送局名やタイトルといった番組選局時に利用する制御信号と前記放送番組のチャンネル番号や放送局名やタイトルの音声ガイド信号とを多重する多重部と多重信号を送信する送信部と、送信信号を受信する受信部と、受信信号から映像信号と音声信号と制御信号と音声ガイド信号とを分離する分離部と、映像信号と音声信号と音声ガイド信号とを復号する復号部と、復号した映像信号を出力する映像出力部と、復号した音声信号を出力する音声出力部と、ユーザー操作を検出する操作部と、番組選局時に利用する制御信号と音声ガイド信号を記憶する番組情報記憶メモリと、ユーザーに装置の操作方法を説明する操作方法音声ガイド信号を記憶させておく操作情報記憶メモリと、受信部の制御と分離部の制御と分離部で分離した制御信号と音声ガイド信号との番組情報記憶メモリへの書き込みと読み出しと復号部の制御と操作部から入力されるユーザーの操作信号の解釈と操作情報記憶メモリからの操作方法音声ガイド信号の読み出しとを行う制御部を有する携帯端末装置において、ユーザーが操作部の音声ガイドボタンを押下すると制御部は操作情報記憶メモリから操作方法音声ガイド信号を読み出し復号部へ出力し、復号部で復号した操作方法音声ガイド信号は音声出力部から出力され、ユーザーがチャンネルアップダウン用ボタンを押下すると制御部は番組情報記憶メモリから放送番組のチャンネル番号や放送局名やタイトルの音声ガイド信号を読み出し復号部へ出力し、復号部で復号した放送番組のチャンネル番号や放送局名やタイトルの音声ガイド信号は音声出力部から出力され、続けてユーザーがチャンネルアップダウン用ボタンを押下すると制御装置は番組情報記憶装置から次のチャンネルの放送番組のチャンネル番号や放送局名やタイトルの音声ガイド信号を読み出し復号装置へ出力し、復号装置で復号した放送番組のチャンネル番号や放送局名やタイトルの音声ガイド信号が音声出力装置から出力され、ユーザーは放送番組のチャンネル番号や放送局名やタイトルの音声ガイドを聞いて選局するチャンネルを操作部の決定ボタンで決定する手段と、を具備することを特徴とする音声ガイドによる選局機能を有する。
【発明の効果】
【０００７】
本発明によれば、ユーザーは音声ガイドに従ってボタン操作し、番組選局もチャンネルアップダウンボタンを押下するたびに順に番組のチャンネル番号、放送局名、あるいは番組タイトルを音声で聞くことができ、受信したい番組のところで、決定ボタンを押すことで、ディスプレイを見なくても音声だけで見たい番組を選局できる。
【発明を実施するための最良の形態】
【０００８】
（実施の形態１）
以下、図面に基づいて本発明の実施の形態を詳細に説明する。
【０００９】
図１は携帯端末装置の１例としての機器の外観図を示し、１０１は受信アンテナ、１０２はディスプレイ、１０３は音声ガイドボタン、１０４は決定ボタン、１０５はスピーカー、１０６はチャンネルアップダウンボタンである。
【００１０】
図２は携帯端末装置の１例としてのブロック図を示し、２０１は多重部、２０２は送信部、２０３は受信部、２０４は分離部、２０５は復号部、２０６は映像出力部、２０７は音声出力部、２０８は制御部、２０９は操作部、２１０は番組情報メモリ、２１１は操作情報メモリである。送信側の送信装置は放送番組の映像データ、音声データに加えて放送番組を選局するための情報、具体的にはデジタルテレビ放送における番組制御情報（チャンネル周波数やＩＤなど）を多重し、さらにチャンネル選局する際にチャンネル番号や放送局名や番組タイトルの音声ガイドデータを多重部２０１で多重し、その多重信号を送信部２０２で送信する。その送信信号を受信側の受信部２０３で受信し、分離部２０４で多重信号から番組の映像信号と音声信号と番組制御情報と音声ガイドデータを分離する。映像信号と音声信号は、復号部２０５で復号し、復号した映像信号は映像出力部２０６から出力する。そして、復号部２０５で復号した音声信号は音声出力部２０７から出力する。また、分離部２０４で分離した音声ガイドデータは、番組情報メモリ２１０に記憶する。操作情報メモリ２１１には、ユーザーが選局操作を行う時の音声ガイダンス用の音声データが記憶されている。ユーザーの端末操作信号は、操作部２０９から入力される。
【００１１】
図３は、実施の形態の処理を示すフローチャートである。ユーザーが選局を行う場合まず、図１の音声ガイドボタン１０３を押すと、図２の操作部２０９から音声ガイドボタンの入力信号が検出され、制御部２０８は、操作情報メモリ２１１から音声ガイドデータを読み出し復号部２０５で音声信号に復号して、音声出力部２０７から出力し、音声はスピーカー１０５から出力される（ステップ３０１）。選局方法は複数有り、チャンネル番号を聞いて選局する方法、放送局名を聞いて選局する方法、番組タイトルを聞いて選局する方法などがあげられる。ユーザーは操作部２０９のチャンネルアップダウンボタン１０６を押して選局方法を変更し、決定する場合は決定ボタン１０４を押す（ステップ３０２）。
【００１２】
次に実際の番組を選局において説明する、ここでは、番組タイトルでの選局フローを例にとる。ユーザーがチャンネルアップダウンボタン１０６を押すと、制御部２０８は、現在受信中の番組の番組タイトルの音声ガイドデータを番組情報メモリ２１０から読み出し、復号部２０５で音声信号に復号して、音声出力部２０７から出力し、音声はスピーカー１０５から出力される（ステップ３０３）。ユーザーをその音声による番組タイトルを聞いて、次のチャンネルに変更する場合は、さらにチャンネルアップダウンボタン１０６を押し、決定する場合は、決定ボタン１０４を押す（ステップ３０４）。ユーザーがチャンネルを決定した後で、実際の番組の映像データ、音声データを受信する処理を行う。
【００１３】
以上に示したように、本実施の形態では、選局を行う場合に、例えば番組タイトルでの選局方法を選択した場合は、チャンネルアップダウンボタンを押すたびに、スピーカーから番組タイトルの音声メッセージが流れ、ユーザーは番組タイトルを聞いて、受信する番組を決定することができるため、ディスプレイの表示を見なくても受信したい番組の選局が可能となる。
【産業上の利用可能性】
【００１４】
本発明の携帯端末装置は、ディスプレイを見なくても音声ガイドに従って受信したい番組を選局できる特徴を有し、携帯用ではなく据え置き型のテレビにも有用である。
【図面の簡単な説明】
【００１５】
【図１】携帯端末装置の外観図
【図２】実施の形態の携帯端末装置の構成を示すブロック図
【図３】実施の形態の処理を示すフローチャート
【符号の説明】
【００１６】
１０１    受信アンテナ
１０２    ディスプレイ
１０３    音声ガイドボタン
１０４    決定ボタン
１０５    スピーカー
１０６    チャンネルアップダウンボタン
２０１    多重部
２０２    送信部
２０３    受信部
２０４    分離部
２０５    復号部
２０６    映像出力部
２０７    音声出力部
２０８    制御部
２０９    操作部
２１０    番組情報メモリ
２１１    捜査情報メモリ
【図１】
2005311759.tif 000003
【図２】
2005311759.tif 000004
【図３】
2005311759.tif 000005